(57)【要約】【課題】    既設の単位光スイッチに手を加えることなしに増設を容易に行うことができる光マトリクススイッチ装置を提供する。  【解決手段】    入力用光スイッチの出力に１回路を付加して〔１×（Ｎ＋１）〕入力用単位光スイッチとし、出力用光スイッチの入力に１回路を付加して〔１×（Ｍ＋１）〕出力用単位光スイッチとし、前記入力用単位光スイッチ〔１×（Ｎ＋１）〕をＭ個並べて入力数Ｍ個とし、前記出力用単位光スイッチ〔１×（Ｍ＋１）〕をＮ個並べて出力数Ｎ個として構成される（Ｍ×Ｎ）光マトリクススイッチを基本モジュールとした光マトリクススイッチ装置である。【選択図】図５
2005217965.tif 000002
【特許請求の範囲】
【請求項１】
入力１個で出力Ｎ個の入力用光スイッチ（１×Ｎ）をＭ個並べて入力数Ｍ個とし、入力Ｍ個で出力１個の出力用光スイッチ（１×Ｍ）をＮ個並べて出力数Ｎ個として構成する機械式（Ｍ×Ｎ）光マトリクススイッチ装置において、前記入力用光スイッチの出力に１回路を付加して〔１×（Ｎ＋１）〕入力用単位光スイッチとし、前記出力用光スイッチの入力に１回路を付加して〔１×（Ｍ＋１）〕出力用単位光スイッチとし、
前記１回路を付加した入力用単位光スイッチ〔１×（Ｎ＋１）〕をＭ個並べて入力数Ｍ個とし、前記１回路を付加した出力用単位光スイッチ〔１×（Ｍ＋１）〕をＮ個並べて出力数Ｎ個として、該入力用単位光スイッチのＮ個の出力接続ポートと該出力用単位光スイッチのＭ個の入力接続ポートを光ファイバーケーブルでＭ×Ｎのマトリクス対応となる様に接続して構成することを特徴とする光マトリクススイッチ装置。
【請求項２】
請求項１に記載の光マトリクススイッチ装置おいて、
前記１回路を付加した入力用単位光スイッチ〔１×（Ｎ＋１）〕をＭ個並べて入力数Ｍ個とし、前記１回路を付加した出力用単位光スイッチ〔１×（Ｍ＋１）〕をＮ個並べて出力数Ｎ個として構成される（Ｍ×Ｎ）光マトリクススイッチを基本モジュールとし、
該基本モジュールを既設基本モジュールとし、これに前記基本モジュールを更に増設して増設基本モジュールとし、該既設基本モジュールの増設中継用として前記基本モジュールを増設して既設中継用基本モジュールとするとともに、前記既設基本モジュールの入力用単位光スイッチに付加されている出力１回路を前記既設中継用基本モジュールの入力用単位光スイッチの入力ポートに光ファイバーケーブルで接続し、前記既設基本モジュールの出力用単位光スイッチに付加されている入力１回路を前記既設中継用基本モジュールの出力用単位光スイッチの出力ポートに光ファイバーケーブルで接続し、
前記増設基本モジュールの増設中継用として前記基本モジュールを増設して増設中継用基本モジュールとし、前記増設基本モジュールの入力用単位光スイッチに付加されている出力１回路を前記増設中継用基本モジュールの入力用単位光スイッチの入力ポートに光ファイバーケーブルで接続し、前記増設基本モジュールの出力用単位光スイッチに付加されている入力１回路を前記増設中継用基本モジュールの出力用単位光スイッチの出力ポートに光ファイバーケーブルで接続し、
各々の基本モジュールの入力用単位光スイッチの出力ポートと出力用単位光スイッチの入力ポートをマトリクス対応となる様に光ファイバーケーブルで接続し、順次前記基本モジュールを直列接続にて増設して光マトリクススイッチの入力ポート数と出力ポート数を整数倍に拡張させたことを特徴とする光マトリクススイッチ装置。
【請求項３】
入力１個で出力Ｎ個の入力用光スイッチ（１×Ｎ）をＭ個並べて入力数Ｍ個とし、入力Ｍ個で出力１個の出力用光スイッチ（１×Ｍ）をＮ個並べて出力数Ｎ個として構成する機械式（Ｍ×Ｎ）光マトリクススイッチ装置において、前記入力用光スイッチの出力にｎ個の回路を付加した〔１×（Ｎ＋ｎ）〕をｎ個付加入力用単位光スイッチとし、前記出力用光スイッチの入力にｎ個の回路を付加した〔１×（Ｍ＋ｎ）〕をｎ個付加出力用単位光スイッチとし、
前記ｎ個付加入力用単位光スイッチ〔１×（Ｎ＋ｎ）〕をＭ個並べて入力数Ｍ個とし、前記ｎ個付加出力用単位光スイッチ〔１×（Ｍ＋ｎ）〕をＮ個並べて出力数Ｎ個として、各入力用単位光スイッチのＮ個の出力接続ポートと各出力用単位光スイッチのＭ個の入力接続ポートを光ファイバーケーブルでＭ×Ｎのマトリクス対応となる様に接続して構成することを特徴とする光マトリクススイッチ装置。
【請求項４】
請求項３に記載の光マトリクススイッチ装置おいて、
前記ｎ個付加入力用単位光スイッチ〔１×（Ｎ＋ｎ）〕をＭ個並べて入力数Ｍ個とし、前記ｎ個付加出力用単位光スイッチ〔１×（Ｍ＋ｎ）〕をＮ個並べて出力数Ｎ個として構成される（Ｍ×Ｎ）光マトリクススイッチを基本モジュールとし、
前記基本モジュールを既設基本モジュールとし、前記基本モジュールを更に増設して増設基本モジュールとし、前記既設基本モジュールの増設中継用として前記基本モジュールを増設して既設中継用基本モジュールとし、
前記既設基本モジュールのｎ個付加入力用単位光スイッチに付加されているｎ個の出力中の１回路を前記既設中継用基本モジュールのｎ個付加入力用単位光スイッチの入力ポートに光ファイバーケーブルで接続し、前記既設基本モジュールのｎ個付加出力用単位光スイッチに付加されているｎ個の入力中の１回路を前記既設中継用基本モジュールのｎ個付加出力用単位光スイッチの出力ポートに光ファイバーケーブルで接続し、
前記増設基本モジュールの増設中継用として前記基本モジュールを増設し増設中継用基本モジュールとし、前記増設基本モジュールのｎ個付加入力用単位光スイッチに付加されているｎ個の出力中の１回路を前記増設中継用基本モジュールのｎ個付加入力用単位光スイッチの入力ポートに光ファイバーケーブルで接続し、前記増設基本モジュールのｎ個付加出力用単位光スイッチに付加されているｎ個の入力中の１回路を前記増設中継用基本モジュールのｎ個付加出力用単位光スイッチの出力ポートに光ファイバーケーブルで接続し、
各々の基本モジュールのｎ個付加入力用単位光スイッチの出力ポートとｎ個付加出力用単位光スイッチの入力ポートをマトリクス対応となる様に光ファイバーケーブルで接続し、順次前記基本モジュールを並列接続にて増設して光マトリクススイッチの入力ポート数と出力ポート数を整数倍に拡張させることを特徴とする光マトリクススイッチ装置。
【請求項５】
請求項１乃至請求項４に記載の光マトリクススイッチ装置おいて、ＭとＮが同数であることを特徴とする光マトリクススイッチ装置。
【請求項６】
請求項３または請求項４に記載の光マトリクススイッチ装置おいて、ｎがマイナスの整数であることを特徴とする光マトリクススイッチ装置。
【発明の詳細な説明】
【技術分野】
【０００１】
本発明は、多数の光回路間の自由な切替接続を可能とする光マトリクススイッチ装置の技術分野に属する。
【背景技術】
【０００２】
多数の光回路間の自由な切替接続を可能とする光マトリクススイッチとして、入力１個で出力Ｎ個の（１×Ｎ）単位スイッチをＭ個と出力１個で入力Ｍ個の（１×Ｍ）単位スイッチをＮ個とで構成される図１に示されるような（Ｍ×Ｎ）光マトリクススイッチが、例えば、特許文献１に開示されている。
【特許文献１】特開２００２−２３０７９
【発明の開示】
【発明が解決しようとする課題】
【０００３】
ところで、入力１個で出力Ｎ個の（１×Ｎ）単位スイッチをＭ個と出力１個で入力Ｍ個の（１×Ｍ）単位スイッチをＮ個とで構成される（Ｍ×Ｎ）光マトリクススイッチにおいては、既に設置された入出力数のＭとＮを増やすためには各々の単位スイッチのＭとＮを増やさなければならず、単位光スイッチ自体を変更あるは改造しなければならないという問題点があった。
本発明は、前記の問題点に鑑みてなされたもので、既設の単位光スイッチに手を加えることなしに増設を容易に行うことができる光マトリクススイッチ装置を提供しようとするものである。
【課題を解決するための手段】
【０００４】
前記課題を解決するために、請求項１の発明は、入力１個で出力Ｎ個の入力用光スイッチ（１×Ｎ）をＭ個並べて入力数Ｍ個とし、入力Ｍ個で出力１個の出力用光スイッチ（１×Ｍ）をＮ個並べて出力数Ｎ個として構成する機械式（Ｍ×Ｎ）光マトリクススイッチ装置において、前記入力用光スイッチの出力に１回路を付加して〔１×（Ｎ＋１）〕入力用単位光スイッチとし、前記出力用光スイッチの入力に１回路を付加して〔１×（Ｍ＋１）〕出力用単位光スイッチとし、前記１回路を付加した入力用単位光スイッチ〔１×（Ｎ＋１）〕をＭ個並べて入力数Ｍ個とし、前記１回路を付加した出力用単位光スイッチ〔１×（Ｍ＋１）〕をＮ個並べて出力数Ｎ個として、該入力用単位光スイッチのＮ個の出力接続ポートと該出力用単位光スイッチのＭ個の入力接続ポートを光ファイバーケーブルでＭ×Ｎのマトリクス対応となる様に接続して構成することを特徴とする光マトリクススイッチ装置である。
【０００５】
請求項２の発明は、請求項１に記載の光マトリクススイッチ装置おいて、前記１回路を付加した入力用単位光スイッチ〔１×（Ｎ＋１）〕をＭ個並べて入力数Ｍ個とし、前記１回路を付加した出力用単位光スイッチ〔１×（Ｍ＋１）〕をＮ個並べて出力数Ｎ個として構成される（Ｍ×Ｎ）光マトリクススイッチを基本モジュールとし、該基本モジュールを既設基本モジュールとし、これに前記基本モジュールを更に増設して増設基本モジュールとし、該既設基本モジュールの増設中継用として前記基本モジュールを増設して既設中継用基本モジュールとするとともに、前記既設基本モジュールの入力用単位光スイッチに付加されている出力１回路を前記既設中継用基本モジュールの入力用単位光スイッチの入力ポートに光ファイバーケーブルで接続し、前記既設基本モジュールの出力用単位光スイッチに付加されている入力１回路を前記既設中継用基本モジュールの出力用単位光スイッチの出力ポートに光ファイバーケーブルで接続し、前記増設基本モジュールの増設中継用として前記基本モジュールを増設して増設中継用基本モジュールとし、前記増設基本モジュールの入力用単位光スイッチに付加されている出力１回路を前記増設中継用基本モジュールの入力用単位光スイッチの入力ポートに光ファイバーケーブルで接続し、前記増設基本モジュールの出力用単位光スイッチに付加されている入力１回路を前記増設中継用基本モジュールの出力用単位光スイッチの出力ポートに光ファイバーケーブルで接続し、各々の基本モジュールの入力用単位光スイッチの出力ポートと出力用単位光スイッチの入力ポートをマトリクス対応となる様に光ファイバーケーブルで接続し、順次前記基本モジュールを直列接続にて増設して光マトリクススイッチの入力ポート数と出力ポート数を整数倍に拡張させたことを特徴とする光マトリクススイッチ装置である。
【０００６】
請求項３の発明は、入力１個で出力Ｎ個の入力用光スイッチ（１×Ｎ）をＭ個並べて入力数Ｍ個とし、入力Ｍ個で出力１個の出力用光スイッチ（１×Ｍ）をＮ個並べて出力数Ｎ個として構成する機械式（Ｍ×Ｎ）光マトリクススイッチ装置において、前記入力用光スイッチの出力にｎ個の回路を付加した〔１×（Ｎ＋ｎ）〕をｎ個付加入力用単位光スイッチとし、前記出力用光スイッチの入力にｎ個の回路を付加した〔１×（Ｍ＋ｎ）〕をｎ個付加出力用単位光スイッチとし、前記ｎ個付加入力用単位光スイッチ〔１×（Ｎ＋ｎ）〕をＭ個並べて入力数Ｍ個とし、前記ｎ個付加出力用単位光スイッチ〔１×（Ｍ＋ｎ）〕をＮ個並べて出力数Ｎ個として、各入力用単位光スイッチのＮ個の出力接続ポートと各出力用単位光スイッチのＭ個の入力接続ポートを光ファイバーケーブルでＭ×Ｎのマトリクス対応となる様に接続して構成することを特徴とする光マトリクススイッチ装置である。
【０００７】
請求項４の発明は、請求項３に記載の光マトリクススイッチ装置おいて、前記ｎ個付加入力用単位光スイッチ〔１×（Ｎ＋ｎ）〕をＭ個並べて入力数Ｍ個とし、前記ｎ個付加出力用単位光スイッチ〔１×（Ｍ＋ｎ）〕をＮ個並べて出力数Ｎ個として構成される（Ｍ×Ｎ）光マトリクススイッチを基本モジュールとし、前記基本モジュールを既設基本モジュールとし、前記基本モジュールを更に増設して増設基本モジュールとし、前記既設基本モジュールの増設中継用として前記基本モジュールを増設して既設中継用基本モジュールとし、前記既設基本モジュールのｎ個付加入力用単位光スイッチに付加されているｎ個の出力中の１回路を前記既設中継用基本モジュールのｎ個付加入力用単位光スイッチの入力ポートに光ファイバーケーブルで接続し、前記既設基本モジュールのｎ個付加出力用単位光スイッチに付加されているｎ個の入力中の１回路を前記既設中継用基本モジュールのｎ個付加出力用単位光スイッチの出力ポートに光ファイバーケーブルで接続し、前記増設基本モジュールの増設中継用として前記基本モジュールを増設し増設中継用基本モジュールとし、前記増設基本モジュールのｎ個付加入力用単位光スイッチに付加されているｎ個の出力中の１回路を前記増設中継用基本モジュールのｎ個付加入力用単位光スイッチの入力ポートに光ファイバーケーブルで接続し、前記増設基本モジュールのｎ個付加出力用単位光スイッチに付加されているｎ個の入力中の１回路を前記増設中継用基本モジュールのｎ個付加出力用単位光スイッチの出力ポートに光ファイバーケーブルで接続し、各々の基本モジュールのｎ個付加入力用単位光スイッチの出力ポートとｎ個付加出力用単位光スイッチの入力ポートをマトリクス対応となる様に光ファイバーケーブルで接続し、順次前記基本モジュールを並列接続にて増設して光マトリクススイッチの入力ポート数と出力ポート数を整数倍に拡張させることを特徴とする光マトリクススイッチ装置である。
【０００８】
請求項５の発明は、請求項１乃至請求項４に記載の光マトリクススイッチ装置おいて、ＭとＮが同数であることを特徴とする光マトリクススイッチ装置である。
請求項６の発明は、請求項３または請求項４に記載の光マトリクススイッチ装置おいて、ｎがマイナスの整数であることを特徴とする光マトリクススイッチ装置である。
【発明の効果】
【０００９】
本発明によれば、既設の単位光スイッチに手を加えることをしないで、増設を容易に行うことができ、入出力の個数を飛躍的に増やすことができるとういう効果が得られる。
さらに、請求項５の発明によれば、入力用単位光スイッチ〔１×（Ｎ＋１）〕と出力用単位光スイッチ〔１×（Ｍ＋１）〕およびｎ個付加入力用単位光スイッチ〔１×（Ｎ＋ｎ）〕とｎ個付加出力用単位光スイッチ〔１×（Ｍ＋ｎ）〕において、特にＭとＮを同数（Ｍ＝Ｎ）とすると〔１×（Ｎ＋１）〕と〔１×（Ｍ＋１）〕は全く同じ構成となり、〔１×（Ｎ＋ｎ）〕と〔１×（Ｍ＋ｎ）〕は全く同じ構成となるので、入力用単位光スイッチと出力用単位光スイッチとが同じものでよく、コストとメンテナンスの両面で優れたものとなる。
【発明を実施するための最良の形態】
【００１０】
図１に、従来型の入力１個で出力Ｎ個の（１×Ｎ）単位光スイッチ１をＭ個と、出力１個で入力Ｍ個の（１×Ｍ）単位光スイッチ１をＮ個とで構成される（Ｍ×Ｎ）光マトリクススイッチの接続を示すが、図１においては、入力をＩｎ、出力をＯｕｔとして表記し、さらに、各単位光スイッチを表す矩形の欄中に１−１，１−２，・・・、１−Ｎという様に入力番号−出力番号を表記し、マトリクス接続はこの表記に従って以下に説明する。
【実施例１】
【００１１】
まず、本発明の請求項１および請求項２に対応した実施例１を説明する。
実施例１の（Ｍ×Ｎ）光マトリクススイッチの接続を図２に示すが、図２において、入力１個で出力Ｎ個の入力用光スイッチ（１×Ｎ）をＭ個並べて入力数Ｍ個とし、同様に、入力Ｍ個で出力１個の出力用光スイッチ（１×Ｍ）をＮ個並べて出力数Ｎ個として構成する機械式の（Ｍ×Ｎ）の光マトリクススイッチ装置を構成している。
この光マトリクススイッチ装置においては、前記入力用光スイッチの出力に１回路を付加して〔１×（Ｎ＋１）〕としてこれを入力用単位光スイッチ２とし、前記出力用光スイッチの入力に１回路を付加して〔１×（Ｍ＋１）〕としてこれを出力用単位光スイッチ３とすると、前記入力用単位光スイッチ〔１×（Ｎ＋１）〕をＭ個並べて入力数Ｍ個とし、前記出力用単位光スイッチ〔１×（Ｍ＋１）〕をＮ個並べて出力数Ｎ個として、各入力用単位光スイッチのＮ個の出力接続ポートと各出力用単位光スイッチのＭ個の入力接続ポートを光ファイバーケーブルでＭ×Ｎのマトリクス対応となる様に接続して構成されている。
なお、図２においては、入力をＩｎ、出力をＯｕｔとして表記している。
【００１２】
光マトリクススイッチの入力ポート数と出力ポート数を整数倍に拡張させる実施例１の一つの例として２倍に拡張させた接続を図３に示すが、図２と同様に、前記入力用光スイッチの出力に１回路を付加して〔１×（Ｎ＋１）〕としてこれを入力用単位光スイッチ２とし、前記出力用光スイッチの入力に１回路を付加して〔１×（Ｍ＋１）〕としてこれを出力用単位光スイッチ３とし、前記入力用単位光スイッチ〔１×（Ｎ＋１）〕をＭ個並べて入力数Ｍ個とし、前記出力用単位光スイッチ〔１×（Ｍ＋１）〕をＮ個並べて出力数Ｎ個として構成される（Ｍ×Ｎ）光マトリクススイッチを基本モジュール４とし、これを既設基本モジュール５とする。
前記基本モジュール４と同じ構成のモジュールを増設して、これを増設基本モジュール７とする。同様に、前記既設基本モジュール５の増設中継用として前記基本モジュール４と同じ構成のモジュールを増設して、これを既設中継用基本モジュール６とする。
そして、前記既設基本モジュール５の入力用単位光スイッチ２に付加されている出力１回路を前記既設中継用基本モジュール６の入力用単位光スイッチ２の入力ポートに光ファイバーケーブルで接続し、前記既設基本モジュール５の出力用単位光スイッチ３に付加されている入力１回路を前記既設中継用基本モジュール６の出力用単位光スイッチ３の出力ポートに光ファイバーケーブルで接続する。
次に、前記増設基本モジュール７の増設中継用として前記基本モジュール４と同じ構成のモジュールをを増設して、これを増設中継用基本モジュール８とする。
この増設基本モジュール７と増設中継用基本モジュール８との接続関係は、前記増設基本モジュール７の入力用単位光スイッチ２に付加されている出力１回路を、前記増設中継用基本モジュール８の入力用単位光スイッチ２の入力ポートに光ファイバーケーブルで接続し、前記増設基本モジュール７の出力用単位光スイッチ３に付加されている入力１回路を前記増設中継用基本モジュール８の出力用単位光スイッチ３の出力ポートに光ファイバーケーブルで接続する。
全体として図３に示すように、各々の基本モジュールの入力用単位光スイッチ２の出力ポートと出力用単位光スイッチ３の入力ポートをマトリクス対応となる様に光ファイバーケーブルで接続する。
なお、図３においては、付加した回路の番号を便宜上０とし、入力をＩｎ、出力をＯｕｔとして表記している。
【００１３】
本発明の実施例１において、Ｍ＝Ｎ＝１２に限定した（１２×１２）光マトリクススイッチとした場合の接続関係を図４に示す。
図４において、付加した回路の番号を便宜上０とし、入力をＩｎ、出力をＯｕｔとして表記しているが、入力用単位光スイッチ２は入力１個で出力１２個に付加出力１個で構成されたものが１２個で、出力用単位光スイッチ３は出力１個で入力１２個に付加入力１個で構成されたものが１２個である。図４の左側に並んでいるのが入力用単位光スイッチ２であり、右側に並んでいるのが出力用単位光スイッチ３であるが、各単位光スイッチを表す矩形の欄中に１−１，１−２，・・・、１−Ｎという様に入力番号−出力番号を表記しているが、この表記に従って各入力用単位光スイッチの各出力と各出力用単位光スイッチの各入力との間を光ファイバーケーブルで接続すると、図４の接続図から判るように１２×１２のマトリクス接続が行える。
例えば、左側の最上段の入力用単位光スイッチ２は、入力Ｉｎ−１に対応して１−１から１−１２を選択でき、選択された１−１から１−１２の出力は出力用単位光スイッチ３の１から１２の内の所定のスイッチ３の入力端子に接続され、対応する出力用単位光スイッチ３の出力Ｏｕｔ-n（１〜１２）から出力される。
【００１４】
前述した図４に示される１２個対応の基本モジュールを用いて、既設のものに手を加えることをしないで、増設を行う光マトリクススイッチ装置を図５を用いて説明する。
この実施例は、１２×１２の整数倍２である２４×２４の光マトリクススイッチとなるが、接続関係は図５のようになる。まず、図４の基本モジュールの構成を用いて既設基本モジュール９とし、入力用単位光スイッチの入力は１〜１２であり出力用単位光スイッチの出力は１〜１２である。前記既設基本モジュール９と同じ構成のモジュールを増設してこれを既設中継用基本モジュール１０とする。
そして、前記既設基本モジュール９の各入力用単位光スイッチに付加された出力番号０(１−０、・・・１２−０)と前記既設中継用基本モジュール１０の対応する各入力用単位光スイッチの入力（Ｉｎ−１・・・Ｉｎ−１２）をファイバーケーブルで接続し、他方、前記既設基本モジュール９の各出力用単位光スイッチに付加された入力番号０(１〜１２−０、・・・１〜１２−０)と前記既設中継用基本モジュール１０の各出力用単位光スイッチの出力(Ｏｕｔ−１〜１２、・・・Ｏｕｔ−１〜１２)をファイバーケーブルで接続する。
また、前記既設基本モジュール９と同じ構成のモジュールを増設して、これを増設基本モジュール１１とし、入力用単位光スイッチの入力は１３〜２４であるが、出力用単位光スイッチの出力は１３〜２４である。更に、前記既設基本モジュール９と同じ構成のモジュールを増設してこれを増設中継用基本モジュール１２とする。
そして、前記増設基本モジュール１１の各入力用単位光スイッチに付加された出力番号０(１３−０、・・・２４−０)と前記増設中継用基本モジュール１２の各入力用単位光スイッチの入力（Ｉｎ−１３・・・Ｉｎ−２４）をファイバーケーブルで接続し、前記増設基本モジュール１１の各出力用単位光スイッチに付加された入力番号０(１３〜２４−０、・・・１３〜２４−０)と前記増設中継用基本モジュール１２の各出力用単位光スイッチの出力(Ｏｕｔ−１３〜２４、・・・Ｏｕｔ−１３〜２４)をファイバーケーブルで接続する。
なお、各単位光スイッチを表す矩形の欄中に１−１，１−２，・・・、１−１２、１−０あるいは１〜１２−０，１３〜２４−０という様に入力番号−出力番号を表記している。この表記に従って各入力用単位光スイッチの各出力と各出力用単位光スイッチの各入力との間を光ファイバーケーブルで接続すると２４×２４のマトリクス接続が行える。
【００１５】
次に、本発明の実施例１における入力用単位光スイッチのスイッチ切替動作を図６で説明する。
図６に示す光スイッチは、図４に示された入力用単位光スイッチの具体的な構成であり、市販されている公知のファイバー用のアダプタ、コネクタとファイバーケーブルで構成される機械式光スイッチである。
入力用としてアダプタ１３１を１個と、出力用として１３個のアダプタ１３３がパネル１８１に固定されており、パネル１８１の左側は各アダプタの入力用端子ＩＮと出力用ＯＵＴである。入力用のアダプタ１３１の右側にはファイバーケーブル１３５の一方のコネクタ１３２が接続され、このファイバーケーブル１３５の他方のコネクタ１３４が接続されている。
ここで、指令により出力番号１２の端子から出力番号７の端子に変更選択して接続する手順を図６（ａ）〜（ｄ）で説明すると、図６（ａ）での出力用アダプタ１３３の出力(ＯＵＴ)番号１２の右側の位置に接続されている状態から、 図６（ｂ）ではコネクタ１３４を出力(ＯＵＴ)番号１２から矢印方向に引き抜き、図６（ｃ）は引き抜いたコネクタ１３４を出力用アダプタ１３３の出力(ＯＵＴ)番号７の位置へ矢印方向に移動させ、図６（ｄ）は移動完了したコネクタ１３４がを出力用アダプタ１３３の出力番号７の位置へ差し込んで、指令された変更選択を終了する。
【００１６】
更に、図７に、図６で示したスイッチ切替動作を実現させた機構を組み込んだユニットの詳細を示すが、このユニット全体を入力用単位光スイッチユニット１３において、左側パネルに１個の入力用アダプタ１３１と１３個の出力用アダプタ１３３と外部制御信号コネクタ１７が取付られており、図６で示されていたファイバーケーブル１３５と、このファイバーケーブル１３５の両端に取付られているコネクタ１３２と１３４は図７では省略してあるが、コネクタ１３２はアダプタ１３１に接続されており、コネクタ１３４は自動調芯機構１４１に保持されていて、図７においては出力用アダプタ１３３の１３番目に差し込まれている状態である。
自動調芯機構１４１はコネクタ抜き差し機構１４に取付られていてモータ１４２によって図中の左右方向に動作可能となっていてコネクタ１３４をアダプタ１３３に抜き差しさせることができる。コネクタ抜き差し機構１４はコネクタ移動機構１５に取付られていて、モータ１５１によって図中の上下方向に動作可能となっていてアダプタ１３３から引き抜かれたコネクタ１３４を、指令された目的とする出力用アダプタ１３３の出力番号の位置へ移動させることができ、移動先の位置はコネクタ移動先確認センサ１５２により確認することができる。
さらに、この移動先位置の出力番号をコネクタ移動先番号表示１６１で表示しているが、モータ１４２と１５１のモータ駆動回路１６もこのユニットの中に組み込まれていて、外部制御信号コネクタ１７に外部から与えられる制御信号によってモータ駆動回路１６に指令が与えられてモータ１４２と１５１が駆動されて光スイッチの切替動作が実行される。
【００１７】
ここで、図６と図７で図示したものは入力用単位光スイッチについてであるが、各図中の入力用アダプタ１３１を出力用とし、出力用アダプタ１３３を入力用として信号の流れを逆にすれば機能的に全く同じユニットが出力用単位光スイッチとして使用できる。すなわち、前述した入力用単位光スイッチ〔１×（Ｎ＋１）〕と出力用単位光スイッチ〔１×（Ｍ＋１）〕において、特に、ＭとＮを同数（Ｍ＝Ｎ）とすると全てのスイッチが同じ構成になり、例えば、Ｍ＝Ｎ＝１２とすると〔１×（１２＋１）〕と〔１×（１２＋１）〕は、全ては１３となり同じ構成となるので、入力用単位光スイッチと出力用単位光スイッチとが同じものでよく、コストとメンテナンスの両面で有利となる。
【００１８】
図８の（ａ）は、図７の入力用単位光スイッチユニット１３を図７でＡ方向から見たパネル１８１の図であり、コネクタ移動先番号表示１６１が設けられ、現在の接続状況が判るように構成され、図８の（ｂ）は、図７の入力用単位光スイッチユニット１３を図７でＢ方向から見たパネル１８１の図であり、上部に入力端子と中央部に１３個の出力端子が設けられ、下部にコネクタ移動等を制御する外部制御信号コネクタ１７が設けられている。
【００１９】
図９は、図７に示した入力用単位光スイッチユニット１３を１２個を横に並べてフレーム１８に組込んで標準ラックに丁度収まる様にしたものを示しているが、このように増設する場合も、光スイッチユニット１３を並べてフレームに組み込むだけでよい。
【００２０】
本発明の請求項２に記載の光マトリクススイッチの入力ポート数と出力ポート数を２倍以上の整数倍に拡張させる接続の方法を図１０で説明するが、図２で示した基本モジュール４を構成しているＭ個ある入力用単位光スイッチの内のＩｎ−１用の入力用単位光スイッチの系列を抜粋してｎ倍に拡張するための接続関係を示したのが図１０である。
すなわち、Ｉｎ−１用の入力用単位光スイッチ２に付加されている出力１−０に前述したように２倍に拡張するための入力用単位光スイッチの入力をファイバーケーブルで接続する。この入力用単位光スイッチのＮ個の出力先はＮ＋１から２Ｎとなる。次に、この入力用単位光スイッチに付加されている出力１−０に３倍に拡張するための入力用単位光スイッチの入力をファイバーケーブルで接続する。この入力用単位光スイッチのＮ個の出力先は２Ｎ＋１から３Ｎとなる。このように、順次、同様な接続を繰り返してｎ倍に拡張するための入力用単位光スイッチのＮ個の出力先は(ｎ−１)Ｎ＋１からｎＮとなる。ここでは説明を省いた他の入力ポートと出力ポートについても同様な接続の方法となる。
この説明で明らかな様に、入力用単位光スイッチに入力用単位光スイッチを次々と直列に接続し、出力用単位スイッチに出力用単位光スイッチを次々と直列に接続しすればいくらでも拡張できることになる。
【実施例２】
【００２１】
本発明の請求項３及び請求項４に対応した実施例２について説明するが、光マトリクススイッチの入力ポート数と出力ポート数を整数倍に拡張させる接続の方法を図１１で説明する。
実施例２が実施例１の構成と異なるのは、実施例１が入力用光スイッチの出力と出力用光スイッチの入力にそれぞれ１回路を付加したのに対して、実施例２が入力１個で出力Ｎ個の入力用光スイッチの出力に、ｎ個の回路を付加して〔１×（Ｎ＋ｎ）〕をｎ個付加入力用単位光スイッチ１９とし、出力１個で入力Ｍ個の出力用光スイッチの入力にｎ個の回路を付加して〔１×（Ｍ＋ｎ）〕をｎ個付加出力用単位光スイッチとしたものである。
そして、前記ｎ個付加入力用単位光スイッチ〔１×（Ｎ＋ｎ）〕をＭ個並べて入力数Ｍ個とし、前記ｎ個付加出力用単位光スイッチ〔１×（Ｍ＋ｎ）〕をＮ個並べて出力数Ｎ個として構成される（Ｍ×Ｎ）光マトリクススイッチを基本モジュールとしたもので、前記基本モジュールを構成しているＭ個あるｎ個付加入力用単位光スイッチの内のＩｎ−１用のｎ個付加入力用単位光スイッチの系列を抜粋してｎ倍に拡張できる。この接続関係を図１１に示すが図に示す様にｎ個付加入力用単位光スイッチ１９のｎ個付加した出力ポートを１−０−１、１−０−２、・・・・、１−０−ｎとすれば、Ｉｎ−１用のｎ個付加入力用単位光スイッチ１９に付加されている出力１−０−１に２倍に拡張するためのｎ個付加入力用単位光スイッチの入力をファイバーケーブルで接続し、このｎ個付加入力用単位光スイッチのＮ個の出力先はＮ＋１から２Ｎとなる。
次に、前記Ｉｎ−１用のｎ個付加入力用単位光スイッチ１９に付加されている出力１−０−２に３倍に拡張するためのｎ個付加入力用単位光スイッチの入力をファイバーケーブルで接続し、このｎ個付加入力用単位光スイッチのＮ個の出力先は２Ｎ＋１から３Ｎとなり、順次、同様な接続を繰り返して前記Ｉｎ−１用のｎ個付加入力用単位光スイッチ１９に付加されている出力１−０−ｎにｎ倍に拡張するためのｎ個付加入力用単位光スイッチの入力をファイバーケーブルで接続し、このｎ個付加入力用単位光スイッチのＮ個の出力先は（ｎ−１）Ｎ＋１からｎＮとなる。
他の構成は実施例１と同じであるのでここでは説明を除いたが、他の入力ポートと出力ポートについても同様な接続の方法となる。
したがって、入力用単位光スイッチに入力用単位光スイッチを次々と並列に接続し、出力用単位スイッチに出力用単位光スイッチを次々と並列に接続して拡張させることができる。
【００２２】
実施例１の変形である図１０に示す直列接続による拡張方法では、付加回路は１回路で良いが、ｎ倍拡張した時のｎ番目の光スイッチの入力は（ｎ−１）回の接続を経てくるので接続による光損失が発生する。これに対して実施例２の図１１に示す並列接続による拡張方法では、ｎ倍に拡張しても全ての光スイッチの入力は１回の接続となるので接続による光損失の点では非常に優れた方法である。
【００２３】
本発明の請求項６に対応した実施例について説明するが、請求項３及び請求項４の実施例２の変形である。
すなわち、請求項６に記載のｎがマイナスの整数であるとは、前記ｎ個付加入力用単位光スイッチ〔１×（Ｎ＋ｎ）〕が〔１×（Ｎ−ｎ）〕となり、前記ｎ個付加出力用単位光スイッチ〔１×（Ｍ＋ｎ）〕が〔１×（Ｍ−ｎ）〕となることである。これは、前記入力用光スイッチ（１×Ｎ）のＮ個の出力の内からｎ個を拡張用の出力ポートに割り当てることであり、前記出力用光スイッチ（１×Ｍ）のＭ個の入力の内からｎ個を拡張用の入力ポートに割り当てることである。この場合の接続関係は、ｎが１であれば実質的に実施例１の接続関係と同じになり、ｎが２以上であれば実施例２の接続関係と同じになる。
この実施例においては、既にある光マトリクススイッチのモジュールの既存の入力出力ポートを拡張用の入力出力ポートに割り当て、既存モジュールを変更や改造することなく接続を変更するだけで活用できる利点がある。
また、実施例１と同様の、前述した入力用単位光スイッチｎ個付加入力用単位光スイッチ〔１×（Ｎ＋ｎ）〕とｎ個付加出力用単位光スイッチ〔１×（Ｍ＋ｎ）〕において、特に、ＭとＮを同数（Ｍ＝Ｎ、）とすると、〔１×（Ｎ＋ｎ）〕と〔１×（Ｍ＋ｎ）〕は全く同じ構成となるので、入力用単位光スイッチと出力用単位光スイッチとが同じものでよく、コストとメンテナンスの両面で有利となる。
【図面の簡単な説明】
【００２４】
【図１】従来型の（Ｍ×Ｎ）光マトリクススイッチの接続を示す図である。
【図２】本発明の実施例１の（Ｍ×Ｎ）光マトリクススイッチの接続を示す図である。
【図３】本発明の実施例１の（Ｍ×Ｎ）を２倍に拡張させた光マトリクススイッチの接続を示す図である。
【図４】本発明の実施例１においてＭ,Ｎ＝１２とした場合の（１２×１２）光マトリクススイッチの接続を示す図である。
【図５】本発明の実施例１において、図４のモジュールを用いた（２４×２４）光マトリクススイッチの接続を示す図である。
【図６】本発明の実施例１の入力用単位光スイッチのスイッチ切替動作を説明する図である。
【図７】本発明の実施例１の入力用単位光スイッチユニットを示す図である。
【図８】図８（ａ）は図７中に示す矢印Ａ方向から見た側面図であり、  図８（ｂ）は図７中に示す矢印Ｂ方向から見た側面図である。
【図９】図７に示した入力用単位光スイッチユニット１２を１２個を横に並べた図を示す。
【図１０】本発明の実施例１において、入力用光スイッチに付加する回路を１個とした入力用単位光スイッチを使用してｎ倍に拡張する説明図である。
【図１１】本発明の実施例２の入力用光スイッチに付加する回路をｎ個としたｎ個付加入力用単位光スイッチを使用してｎ倍に拡張する説明図である。
【符号の説明】
【００２５】
１…単位光スイッチ、２…入力用単位光スイッチ、３…出力用単位光スイッチ、
４…基本モジュール、５…既設基本モジュール、６…既設中継用基本モジュール
７…増設基本モジュール、８…増設中継用基本モジュール、
９…既設基本モジュール、１０…既設中継用基本モジュール、
１１…増設基本モジュール、１２…増設中継用基本モジュール
１３…入力用単位光スイッチユニット、１３１…アダプタ、１３２…コネクタ、
１３３…アダプタ、１３４…コネクタ、１３５…ファイバーケーブル、
１４…コネクタ抜き差し機構、１４１…自動調芯機構、１４２…モータ、
１５…コネクタ移動機構、１５１…モータ、１５２…コネクタ移動先確認センサ
１６…モータ駆動回路、１６１…コネクタ移動先番号表示、
１７…外部制御信号コネクタ、１８…フレーム、１８１…パネル、
１９…ｎ個付加入力用単位光スイッチ
【図１】
2005217965.tif 000003
【図２】
2005217965.tif 000004
【図３】
2005217965.tif 000005
【図４】
2005217965.tif 000006
【図５】
2005217965.tif 000007
【図６】
2005217965.tif 000008
【図７】
2005217965.tif 000009
【図８】
2005217965.tif 000010
【図９】
2005217965.tif 000011
【図１０】
2005217965.tif 000012
【図１１】
2005217965.tif 000013